(57)【要約】【課題】背景のきれいな画像を得ることができるようにする。【解決手段】全身撮影モードで撮影された場合、撮影された画像Ｐ１の背景には、背景カーテン８９−１だけでなく、その周囲部２４１も撮影される。撮影された複数の画像の中から編集対象の画像Ｐ１が選択され、画像Ｐ１の明るさが調整される。その後、画像Ｐ１の背景から、クロマキー処理により背景の編集範囲が求められ、予め記憶されている背景カーテン８９−１の色の中から、調整された画像Ｐ１の明るさに対応する色が取得され、求められた背景の編集範囲が取得された色で変換される。これにより、背景カーテン８９−１とその周囲部２４１の境界が目立たなくなり、簡単にきれいな背景の画像が提供される。【選択図】　　　図１４
2004112302.tif 000002
【特許請求の範囲】
【請求項１】
被写体を撮影する撮影手段と、
撮影する被写体の背後に位置し、ユーザの操作に基づいて背景を提供する背景提供手段と、
前記撮影手段により撮影された画像の背景全面が、前記背景提供手段が提供する前記背景の画像であるか否かを判断する判断手段と、
前記判断手段により前記画像の前記背景全面が前記背景の画像ではないと判断された場合、前記画像の前記背景全面のうち前記背景の画像ではない部分を、前記背景に基づいて変換する変換手段と、
前記変換手段により変換された前記画像の表示を制御する表示制御手段と、
前記変換手段により変換された前記画像をシールに印刷する印刷手段と
を備えることを特徴とする写真シール販売機。
【請求項２】
前記背景提供手段は、ユーザの操作に基づいて、色、または模様の異なる複数の前記背景を提供する
ことを特徴とする請求項１に記載の写真シール販売機。
【請求項３】
前記背景提供手段により提供される前記背景に対応する前記色、または前記模様を記憶する記憶手段をさらに備える
ことを特徴とする請求項２に記載の写真シール販売機。
【請求項４】
前記画像の明るさを調整する調整手段をさらに備え、
前記変換手段は、前記画像の前記背景全面のうち前記背景の画像ではない部分を、前記調整手段により調整された明るさおよび前記背景に基づいて変換する
ことを特徴とする請求項１，２または３に記載の写真シール販売機。
【請求項５】
前記撮影手段により撮影された画像から編集対象画像を選択する選択手段と、
前記選択手段により選択された前記編集対象画像を編集する編集手段と
をさらに備え、
前記判断手段は、前記選択手段により選択された前記編集対象画像の背景全面が、前記背景提供手段が提供する前記背景の画像であるか否かを判断し、
前記変換手段は、前記判断手段により前記編集対象画像の前記背景全面が前記背景の画像ではないと判断された場合、前記編集対象画像の前記背景全面のうち前記背景の画像ではない部分を、前記背景に基づいて変換する
ことを特徴とする請求項１乃至４のいずれかに記載の写真シール販売機。
【請求項６】
写真シール販売機の写真シール印刷方法において、
被写体を撮影する撮影ステップと、
撮影する被写体の背後に位置し、ユーザの操作に基づいて背景を提供する背景提供ステップと、
前記撮影ステップの処理により撮影された画像の背景全面が、前記背景提供ステップの処理により提供された前記背景の画像であるか否かを判断する判断ステップと、
前記判断ステップの処理により前記画像の前記背景全面が前記背景の画像ではないと判断された場合、前記画像の前記背景全面のうち前記背景の画像ではない部分を、前記背景に基づいて変換する変換ステップと、
前記変換ステップの処理により変換された前記画像の表示を制御する表示制御ステップと、
前記変換ステップの処理により変換された前記画像をシールに印刷する印刷ステップと
を含むことを特徴とする画像印刷方法。
【請求項７】
被写体を撮影する撮影ステップと、
撮影する被写体の背後に位置し、ユーザの操作に基づいて背景を提供する背景提供ステップと、
前記撮影ステップの処理により撮影された画像の背景全面が、前記背景提供ステップの処理により提供された前記背景の画像であるか否かを判断する判断ステップと、
前記判断ステップの処理により前記画像の前記背景全面が前記背景の画像ではないと判断された場合、前記画像の前記背景全面のうち前記背景の画像ではない部分を、前記背景に基づいて変換する変換ステップと、
前記変換ステップの処理により変換された前記画像の表示を制御する表示制御ステップと、
前記変換ステップの処理により変換された前記画像をシールに印刷する印刷ステップと
を含む写真シール印刷方法により印刷されることを特徴とする写真シール。
【請求項８】
被写体を撮影する撮影手段と、
撮影する被写体の背後に位置し、ユーザの操作に基づいて背景を提供する背景提供手段と、
前記撮影手段により撮影された画像の背景全面が、前記背景提供手段が提供する前記背景の画像であるか否かを判断する判断手段と、
前記判断手段により前記画像の前記背景全面が前記背景の画像ではないと判断された場合、前記画像の前記背景全面のうち前記背景の画像ではない部分を、前記背景に基づいて変換する変換手段と、
前記変換手段により変換された前記画像の表示を制御する表示制御手段と、
前記変換手段により変換された前記画像をシールに印刷する印刷手段と
を備える写真シール販売機において使用される写真シールユニットであって、
前記写真シールユニットを識別する識別情報を記憶する識別情報記憶手段を備え、
前記識別情報記憶手段により記憶されている前記識別情報が前記写真シール販売機により認証されたとき使用可能とされる
ことを特徴とする写真シールユニット。
【発明の詳細な説明】
【０００１】
【発明の属する技術分野】
本発明は、写真シール印刷装置および方法、写真シール、並びに写真シールユニットに関し、特に、例えば、撮影した画像を、より簡単に、より好適に編集することができるようにした写真シール印刷装置および方法、写真シール、並びに写真シールユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの写真シール販売機が知られている。
【０００３】
図１は、従来の写真シール販売機１の外観の構成例を示す側面図である。図１においては、写真シール販売機１に対向する位置には、所定距離だけ離間して背景パネル２が設置され、その手前には、幕４が設置されている。また、写真シール販売機１の正面には、ＣＣＤ（Ｃｈａｒｇｅ　Ｃｏｕｐｌｅｄ　Ｄｅｖｉｃｅ）１１などにより構成される撮影部１２が設置されており、ユーザ３は、写真シール販売機１と幕４の間の撮影空間において、ＣＣＤ１１により撮影を行う。なお、撮影空間には、写真シール販売機２１の上面と背景パネル２により支持される天井部材５、および、撮影空間の内部が外側から見えないように、カーテンと側面パネル（説明の便宜上、図示を省略する）が設けられている。
【０００４】
このような従来の写真シール販売機１においては、ＣＣＤ１１の撮影範囲は、上限１３−１乃至下限１３−２の範囲に設定されており、背景全体に幕４が撮影されるため、比較的きれいな背景の、見栄えのよい画像を得ることができた。なお、図１の撮影範囲には、図示は省略するが、左右方向の境界も存在する。
【０００５】
また、このような幕４を配置することにより、背景の色が均一化されることにより、撮影された画像においては、例えば、落書き可能な範囲を予め制限することができ、画像の被写体以外の部分の背景のみに、色や絵柄などを簡単に付加し、編集することもできる（例えば、特許文献１参照）。
【０００６】
【特許文献１】
特許第３３１２１６５号公報（第１０−１１ページ、図２１）
【０００７】
【発明が解決しようとする課題】
しかしながら、このような写真シール販売機１において、最近、ユーザ３の趣向に合わせて、どんなポーズ（例えば、大の字ポーズなどの全身ポーズ）にでも対応できるように、ＣＣＤ１１の撮像範囲が、上限１４−１乃至下限１４−２の範囲にまで拡大されるようになった。これにより、図２に示されるように、上限１４−１乃至下限１４−２の範囲で撮影された画像の背景に、幕４の周囲部である上部１５−１，下部１５−２，左側部１５−３および右側部１５−４が撮影されてしまうため、このまま印刷すると、背景の一部にしか幕４の色が印刷されない間の抜けた画像のシールになってしまうといった課題があった。
【０００８】
また、上述した編集機能により、画像の背景のうち、幕４の周囲部（上部１５−１，下部１５−２，左側部１５−３および右側部１５−４）を幕４と同系色で塗ることも可能であるが、幕４と同系色を探したり、きれいに塗るためには、手間がかかってしまうといった課題があった。
【０００９】
本発明はこのような状況に鑑みてなされたものであり、簡単に、背景の見栄えのよい画像のシールを得ることができるようにするものである。
【００１０】
【課題を解決するための手段】
本発明の写真シール販売機は、被写体を撮影する撮影手段と、撮影する被写体の背後に位置し、ユーザの操作に基づいて背景を提供する背景提供手段と、撮影手段により撮影された画像の背景全面が、背景提供手段が提供する背景の画像であるか否かを判断する判断手段と、判断手段により画像の背景全面が背景の画像ではないと判断された場合、画像の背景全面のうち背景の画像ではない部分を、背景に基づいて変換する変換手段と、変換手段により変換された画像の表示を制御する表示制御手段と、変換手段により変換された画像をシールに印刷する印刷手段とを備えることを特徴とする。
【００１１】
背景提供手段は、ユーザの操作に基づいて、色、または模様の異なる複数の背景を提供するようにすることができる。
【００１２】
背景提供手段により提供される背景に対応する色、または模様を記憶する記憶手段をさらに備えるようにすることができる。
【００１３】
画像の明るさを調整する調整手段をさらに備えるようにすることができる。このとき、変換手段は、編集対象画像の背景全面のうち背景の画像ではない部分を、調整手段により調整された明るさおよび背景に基づいて変換する。
【００１４】
撮影手段により撮影された画像から編集対象画像を選択する選択手段と、選択手段により選択された編集対象画像を編集する編集手段とをさらに備えるようにすることができる。このとき、判断手段は、選択手段により選択された編集対象画像の背景全面が、背景提供手段が提供する背景の画像であるか否かを判断し、変換手段は、判断手段により編集対象画像の背景全面が背景の画像ではないと判断された場合、編集対象画像の背景全面のうち背景の画像ではない部分を、背景に基づいて変換する。
【００１５】
本発明の画像印刷方法は、被写体を撮影する撮影ステップと、撮影する被写体の背後に位置し、ユーザの操作に基づいて背景を提供する背景提供ステップと、撮影ステップの処理により撮影された画像の背景全面が、背景提供ステップの処理により提供された背景の画像であるか否かを判断する判断ステップと、判断ステップの処理により画像の背景全面が背景の画像ではないと判断された場合、画像の背景全面のうち背景の画像ではない部分を、背景に基づいて変換する変換ステップと、変換ステップの処理により変換された画像の表示を制御する表示制御ステップと、変換ステップの処理により変換された画像をシールに印刷する印刷ステップと含むことを特徴とする。
【００１６】
本発明の写真シール販売機および方法においては、画像の背景全面が、撮影する被写体の背後に位置し、ユーザの操作に基づいて提供される背景の画像であるか否かが判断される。そして、画像の背景全面が背景の画像であると判断された場合、画像の背景全面のうち背景の画像ではない部分が、背景に基づいて変換され、そして、変換された画像の表示が制御され、変換された画像がシールに印刷される。
【００１７】
従って、本発明によれば、カーテンなどの背景の画像が、画像の背景全体の一部にしかない場合でも、見栄えのよい背景の画像を提供することができる。
【００１８】
本発明の写真シールは、被写体を撮影する撮影ステップと、撮影する被写体の背後に位置し、ユーザの操作に基づいて背景を提供する背景提供ステップと、撮影ステップの処理により撮影された画像の背景全面が、背景提供ステップの処理により提供された背景の画像であるか否かを判断する判断ステップと、判断ステップの処理により画像の背景全面が背景の画像ではないと判断された場合、画像の背景全面のうち背景の画像ではない部分を、背景に基づいて変換する変換ステップと、変換ステップの処理により変換された画像の表示を制御する表示制御ステップと、変換ステップの処理により変換された画像をシールに印刷する印刷ステップとを含む画像印刷方法により印刷されることを特徴とする。
【００１９】
本発明の写真シールユニットは、被写体を撮影する撮影手段と、撮影する被写体の背後に位置し、ユーザの操作に基づいて背景を提供する背景提供手段と、撮影手段により撮影された画像の背景全面が、背景提供手段が提供する背景の画像であるか否かを判断する判断手段と、判断手段により画像の背景全面が背景の画像ではないと判断された場合、画像の背景全面のうち背景の画像ではない部分を、背景に基づいて変換する変換手段と、変換手段により変換された画像の表示を制御する表示制御手段と、変換手段により変換された画像をシールに印刷する印刷手段とを備える写真シール販売機において使用される写真シールユニットであって、写真シールユニットを識別する識別情報を記憶する識別情報記憶手段を備え、識別情報記憶手段により記憶されている識別情報が写真シール販売機により認証されたとき使用可能とされることを特徴とする。
【００２０】
識別情報記憶手段は、例えば、ＩＣタグ（制御タグ）、ＩＣカード等のメモリにより構成され、識別情報としての固有のＩＤを記憶する。
【００２１】
このように、識別情報が認証されたときにのみ写真シールユニットが使用可能とされることにより、本発明の写真シール販売機に対して生産されたユニットのみが使用可能となり、いわゆる純正品以外のものが使用されることを抑制することができる。また、写真シールユニットにバーコードなどが付されている場合、そのバーコードにより、純正品であるか否かを判断させるようにしてもよい。
【００２２】
【発明の実施の形態】
図３は、本発明を適用した写真シール販売機２１の構成例を示す斜視図である。
【００２３】
写真シール販売機２１の垂直な面２１Ａには、撮影装置３２が面２１Ａから突出した状態で設けられている。撮影装置３２の正面には、ＣＣＤ（Ｃｈａｒｇｅ　Ｃｏｕｐｌｅｄ　Ｄｅｖｉｃｅ）４１が設けられ、ＣＣＤ４１の下には画像表示部４２が設けられている。ＣＣＤ４１により被写体の画像が取り込まれ、取り込まれている画像（動画像）がリアルタイムで画像表示部４２に表示される。例えば、ユーザにより指示されたタイミングにおいて、ＣＣＤ４１による撮影が行われ、ユーザ（被写体）の画像が静止画像として写真シール販売機２１に保存される。画像表示部４２がＣＣＤ４１の近傍に設けられているため、ユーザは、ＣＣＤ４１に視線を向けた状態で、画像表示部４２に表示される自分自身の画像を確認しながら、撮影を行うことができる。
【００２４】
撮影装置３２の左側にはフラッシュ照射部３３−１が設けられており、また、右側にはフラッシュ照射部３３−２が設けられている。フラッシュ照射部３３−１，３３−２は、撮影装置３２（ＣＣＤ４１）により撮影されるタイミングで、写真シール販売機２１の内部に設けられている照明装置から出射されるフラッシュ光を透過し、被写体を照射する。
【００２５】
フラッシュ照射部３３−２の下には、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｂｅ）などにより構成される撮影用モニタ３４が設けられている。撮影用モニタ３４には、撮影処理の進行段階に応じて、撮影方法などを案内する各種のメッセージなどが表示される。また、撮影用モニタ３４には、撮影された画像が表示されるため、ユーザは、表示される撮影画像の中から、編集（落書き）対象の画像を選択することができる。後述するように、ユーザは、撮影を終了した後、写真シール販売機２１の裏側に移動し、撮影された画像に対して好みの文字や図形などを入力し、編集を施すことができる。
【００２６】
撮影用モニタ３４の下には、面２１Ａから突出した状態で操作部３１が設けられている。操作部３１の上面３１Ａは若干斜め上方を向いた状態で設けられており、そこに操作パネル３５が設けられている。ユーザは、操作パネル３５に設けられている各種のボタンにより、撮影処理を進行する。
【００２７】
面２１Ａの左下には、硬貨投入口３６が設けられている。ユーザは、画像印刷装置２１を利用して撮影するとき、所定の代金を硬貨投入口３６に投入する。
【００２８】
写真シール販売機２１の左側面２１Ｂの下方には、シール取り出し口５１が設けられている。撮影され、編集等が施された画像が所定の大きさでシール紙に印刷され、得られたシール紙がシール取り出し口５１から排出される。
【００２９】
図４は、写真シール販売機２１の面２１Ａの反対側に相当する、面２１Ｃ側の構成例を示す斜視図である。なお、以下において、適宜、面２１Ａが設けられている面を画像印刷装置２１の正面として説明し、面２１Ａの反対側に相当する、面２１Ｃが設けられている面を写真シール販売機２１の背面として説明する。
【００３０】
写真シール販売機２１の面２１Ｃには、編集用モニタ６１−１および６１−２が水平方向に並置されている。編集用モニタ６１−１の下には収納部６２−１が設けられ、そこに、編集用モニタ６１−１に直接押し当てることで画像の編集などを行うための入力ペン６３−１が収納される。同様に、編集用モニタ６１−２の下には収納部６２−２が設けられ、そこに、編集用モニタ６１−２に直接押し当てることで画像の編集などを行うための入力ペン６３−２が収納される。
【００３１】
撮影装置３２により撮影され、編集対象の画像として選択された画像は、ユーザが撮影処理を終了した後、後述するように、背景カーテン８９（図５）に基づいたクロマキー処理、変換処理などが実行され、編集用モニタ６１−１および６１−２にそれぞれ表示される。編集用モニタ６１−１および６１−２には、タッチパネルが積層されており、ユーザは、表示されている画像に対し、任意の文字や図形などを、入力ペン６３−１および６３−２を利用して書き込む（入力する）ことができる。
【００３２】
編集用モニタ６１−１および６１−２には、編集対象の画像とともに、様々な編集ツールを選択するためのボタンが表示される。そして、そのボタンが操作され、画像の編集が行われたとき、編集用モニタ６１−１および６１−２には、入力に応じて生成された編集済みの画像が表示される。
【００３３】
入力ペン６３−１および６３−２は、編集用モニタ６１−１および６１−２に積層されるタッチパネルの位置検出方式（例えば、抵抗膜式、超音波式など）に応じて構成される。
【００３４】
図５は、写真シール販売機２１の配置の例を示す図である。
【００３５】
写真シール販売機２１の正面（面２１Ａ）に対向する位置には、所定距離だけ離間して後パネル８１が設置され、その手前に背景パネル８２が設置され、ユーザは、写真シール販売機２１と背景パネル８２の間の撮影空間８３において撮影を行う。なお、撮影空間８３には、写真シール販売機２１の上面と後パネル８１により支持される天井部材８４、および、撮影空間８３の内部が外側から見えないように、カーテン８５−１と側面パネル８６−１が設けられている。
【００３６】
後パネル８１と背景パネル８２の間は、背景カーテン空間８７となっており、背景カーテン空間８７の上部（天井部材８４）には、複数の背景カーテン８９−１乃至８９−３が収納されるカーテン収納部８８が設置されている。例えば、背景カーテン８９−１は、ピンク色のカーテンであり、背景カーテン８９−２は、黄色のカーテンであり、背景カーテン８９−３は、水色のカーテンというように、それぞれ異なる色のロールカーテンとして、予め記憶部１５６（図９）に設定されている。また、これらの背景カーテン８９−１乃至８９−３は、それぞれ対応するカーテン軸９０−１乃至９０−３に巻きつけられてカーテン収納部８８に収納されている。なお、背景カーテン８９−１乃至８９−３を背景カーテン空間８７に引き出せるように、天井部材８４の背景カーテン空間８７の上部に位置する部分は開放されている。以下、背景カーテン８９−１乃至８９−３を個々に区別する必要がない場合、単に背景カーテン８９と称する。
【００３７】
背景パネル８２は、半透明となっており、カーテン収納部８８に収納されている背景カーテン８９−１乃至８９−３のうちの１つの背景カーテン８９（いまの場合、背景カーテン８９−１）が、後述する撮影処理において、ユーザの操作に基づくカーテン制御部１２５（図８）の駆動によりカーテン軸９０−１が回動され、背景カーテン空間８７に引き出される。これにより、ユーザにさまざまな趣向の背景が提供される。また、背景カーテン８９−１乃至８９−３すべてが収納されている場合、後パネル８１の色（例えば、白色）が背景とされる。したがって、この場合、背景カーテン８９−１乃至８９−３および後パネル８１により、４種類の背景がユーザに提供される。そして、後述するように、ユーザにより指示された背景カーテン８９に基づいて、クロマキー処理、変換処理などが実行され、編集対象画像が、編集用モニタ６１−１および６１−２に表示される。なお、もちろん、後パネル８１を利用することなく、白色の背景カーテン８９を用いるようにしてもよい。
【００３８】
なお、図５においては、背景カーテン８９−１乃至８９−３が、３つしか示されていないが、収納される背景カーテン８９の数はいくつでもよい。また、この写真シール販売機２１においては、背景カーテン空間８７の上部にカーテン収納部８８を設置し、背景カーテン８９を下（背景カーテン空間８７）へ引き出すようにしたが、背景カーテン空間８７の側面パネル８６−１などにカーテン収納部８８を設置し、左右方向に引き出すようにしてもよい。
【００３９】
撮影を終了した後に移動し、画像の編集を行う空間として、面２１Ｃに臨む位置に編集空間９３が設けられている。編集空間９３には、その内部が外部から覗かれるのを防止すべく、カーテンフレーム９１にカーテン９２−１が取り付けられている。カーテン９２−１は、面２１Ｂと略同一平面上に設けられ、カーテン９２−２は、面２１Ｃに対向して、所定の距離だけ離間して設けられる。なお、この例においては、カーテンフレーム９１は、天井部材８４とほぼ同一平面上に設けられている。
【００４０】
図６は、写真シール販売機２１の配置の例を、その上方から示す図である。
【００４１】
図６に示されるように、写真シール販売機２１の右側面２１Ｄ側にも、面２１Ｂ側と同様に、撮影空間８３の内部が外側から覗かれることを防止すべく、カーテン８５−２と側面パネル８６−２が設けられている。撮影空間８３の内部（後パネル８１、天井部材８４、側面パネル８６−１，８６−２等の内側）は、撮影装置３２により撮影された画像から、ユーザの画像のみを、後述するクロマキー処理により抽出できるように、例えば、白色などの単一色の面とされる。
【００４２】
図６を参照し、撮影を開始してからシール紙を受け取るまでのユーザの移動について説明する。
【００４３】
ユーザは、写真シール販売機２１を利用するとき、白抜き矢印Ａ１で示されるように撮影空間８３に入場し、撮影処理を行う。従って、撮影空間８３が使用されているとき、写真シール販売機２１を利用することを所望するユーザは、例えば、側面パネル８６−１の前方の順番待ち空間９４において、撮影空間８３が空くのを待機することになる。
【００４４】
所定の数の画像を編集対象の画像として選択し、撮影を終えたとき、ユーザは、例えば、白抜き矢印Ａ２で示されるようにして撮影空間８３から退場し、白抜き矢印Ａ３で示されるようにして写真シール販売機２１の背面側に設けられる編集空間９３に移動する。
【００４５】
このとき、順番待ち空間９４において順番待ちをしていたユーザ（撮影空間８３が空くのを待機していたユーザ）は、撮影空間８３を先に使用していたユーザの組が編集空間９３に移動することに応じて、撮影空間８３に入場する。
【００４６】
上述したように、編集空間９３から確認できる編集用モニタ６１−１および６１−２には、撮影空間８３において撮影し、選択した画像が表示されるため、ユーザは、それに対して編集を行う。ユーザは、編集を終えたとき、次に、画像印刷装置２１の面２１Ｂに臨む場所である印刷待ち空間９５に白抜き矢印Ａ４で示されるようにして移動し、編集した画像がシール紙にプリントされ、排出されるまで待機する。
【００４７】
そして、シール取り出し口５１にシール紙が排出されたとき、ユーザは、それを受け取り、写真シール販売機２１の利用を終える。これらの移動の案内は、撮影用モニタ３４、編集用モニタ６１−１および６１−２、または図示せぬスピーカなどにより行われる。
【００４８】
このように、撮影を行う空間、編集を行う空間、印刷が終了するのを待機する空間を、写真シール販売機２１の異なる面の前方にそれぞれ設けることにより、撮影処理、編集処理、印刷処理を併行して実行させることができ、これらの処理を１つの空間で実行させる場合に較べて、写真シール販売機２１を利用する顧客の回転率を向上させることができる。また、撮影処理に要する時間、編集処理に要する時間等をそれぞれのユーザの組に対して長く確保することができる。
【００４９】
図７は、図３の操作パネル３５を拡大した図である。操作パネル３５上には、左側に、撮影用モニタ３４に表示された種々の選択肢を選択するときに操作されるプラスボタン１０１、左ボタン１０２、右ボタン１０３、およびマイナスボタン１０４が設置されている。また、操作パネル３５の右側には、上に、例えば、撮影用モニタ３４に表示される各種の選択に対して、決定するときに操作されるマルボタン１０５、および決定したものをキャンセルするときに操作されるバツボタン１０６、青ボタン１０７、および赤ボタン１０８が設置されている。
【００５０】
操作部３１には、撮影用モニタ３４に直接押し当てることで各種の選択を行うためのタッチペンなども適宜用意される。操作パネル３５は、ユーザにより入力された操作に対応する操作信号を、制御装置１２１（図８）に送信する。
【００５１】
図８は、写真シール販売機２１の内部の構成例を示すブロック図である。上述したものと同様の構成について、その詳細な説明は適宜省略する。
【００５２】
制御装置１２１は、パーソナルコンピュータなどにより構成され、写真シール販売機２１の全体の動作を制御する。具体的には、制御装置１２１に設けられているＣＰＵ（Ｃｅｎｔｒａｌ　Ｐｒｏｃｅｓｓｉｎｇ　Ｕｎｉｔ）１５１により、ＲＯＭ（Ｒｅａｄ　Ｏｎｌｙ　Ｍｅｍｏｒｙ）１５２やハードディスクなどにより構成される記憶部１５６（いずれも図９）に記憶されているプログラムに基づく処理が実行される。
【００５３】
硬貨処理部１２２は、ユーザにより所定の代金が硬貨投入口３６に投入されたとき、それを検出し、制御装置１２１に通知する。照明制御部１２３は、撮影装置３２により被写体が撮影されるタイミングにあわせて、制御装置１２１からの指示に基づいてフラッシュ光を出射する。出射されたフラッシュ光は、図３のフラッシュ照射部３３−１および３３−２を介して被写体（ユーザ）を照射する。
【００５４】
写真シール販売機２１の面２１Ｃに設けられている編集用モニタ６１−１にはタッチパネル１２４−１が、編集用モニタ６１−２にはタッチパネル１２４−２がそれぞれ積層されている。タッチパネル１２４−１および１２４−２は、入力ペン６３−１および６３−２により入力されたユーザからの指示を制御装置１２１に出力する。
【００５５】
カーテン制御部１２５は、制御装置１２１からの指示に基づいて、カーテン軸９０−１乃至９０−３（カーテン軸９０）のうちのいずれかの駆動を制御し、対応する背景カーテン８９を背景カーテン空間８７に引き出したり、カーテン収納部８８に収納する。
【００５６】
プリンタユニット１２７は、プリンタ部１３１と制御タグリーダライタ１３２により構成され、プリンタユニット１２７に装着されるシール紙ユニット１２８は、シール紙１４１と、個々のシール紙ユニット１２８を識別する識別情報等を管理する制御タグ１４２により構成される。
【００５７】
プリンタ部１３１は、編集処理等が施された画像データが制御装置１２１から供給されたとき、供給された画像データにより表される画像を、ユーザにより選択された画像のサイズおよび分割数に従って、シール紙１４１に印刷し、シール紙１４１をシール取り出し口５１に排出する。
【００５８】
制御タグリーダライタ１３２は、制御タグ１４２に記憶されている識別情報を接触または非接触により読み出し、制御装置１２１に出力する。制御装置１２１は、制御タグリーダライタ１３２から供給された識別情報に基づいて、装着されているシール紙ユニット１２８が、写真シール販売機２１において利用可能なユニットであるか否かを判定し、利用可能なユニットであると判定したときにのみ、プリンタ部１３１を動作可能にする。すなわち、制御装置１２１により、写真シール販売機２１において利用可能とされるシール紙ユニットの識別情報が管理されている。
【００５９】
これにより、写真シール販売機２１に対応していない（純正のものでない）シール紙が利用されるのを抑制することができる。また、制御タグ１４２により、シール紙１４１の残量等も管理される。なお、シール紙ユニット１２８が純正のものであるか否かを、シール紙ユニット１２８にプリントされているバーコードなどにより確認させるようにしてもよい。
【００６０】
図９は、図８の制御装置１２１の詳細な構成例を示すブロック図である。
【００６１】
ＣＰＵ１５１は、ＲＯＭ１５２に記憶されているプログラム、または、記憶部１５６からＲＡＭ（Ｒａｎｄｏｍ　Ａｃｃｅｓｓ　Ｍｅｍｏｒｙ）１５３にロードされたプログラムに従って各種の処理を実行する。ＲＡＭ１５３にはまた、ＣＰＵ１５１が各種の処理を実行する上において必要なデータなどが適宜記憶される。
【００６２】
ＣＰＵ１５１、ＲＯＭ１５２、およびＲＡＭ１５３は、バス１５４を介して相互に接続されている。バス１５４にはまた、入出力インタフェース１５５も接続されている。
【００６３】
入出力インタフェース１５５には、図８に示される、撮影装置３２、撮影用モニタ３４、操作パネル３５、編集用モニタ６１−１および６１−２（編集用モニタ６１）、硬貨処理部１２２、照明制御部１２３、タッチパネル１２４−１および１２４−２（タッチパネル１２４）、カーテン制御部１２５、およびプリンタユニット１２７が接続されている。
【００６４】
記憶部１５６は、ＣＰＵ１５１により実行されるプログラムの他、撮影装置３２により取り込まれている被写体の画像と合成する背景画像のデータや、撮影して得られた画像のデータなどを記憶する。例えば、後述するように、撮影処理においては、所定の回数だけ撮影を行うことができるようになされており、記憶部１５６には、撮影回数に対応する数の画像のデータが記憶される。さらに、後述するように、編集画面の表示制御処理においては、背景カーテン８９の周囲部が、背景カーテン８９に対応する色に変換されるようになっており、記憶部１５６には、背景カーテン８９に対応する色が、ユーザにより入力される明るさに応じて複数記憶されている。
【００６５】
入出力インタフェース１５５にはまた、必要に応じてドライブ１５７が接続され、磁気ディスク１７１、光ディスク１７２、光磁気ディスク１７３、或いは半導体メモリ１７４などが適宜装着され、それらから読み出されたコンピュータプログラムが必要に応じて記憶部１５６に保存される。
【００６６】
次に、写真シール販売機２１の処理について、フローチャートを参照して説明する。
【００６７】
始めに、図１０のフローチャートを参照して、写真シール販売機２１を利用する顧客（ユーザ）に応対する、写真シール販売機２１の全体の処理について説明する。
【００６８】
ステップＳ１において、制御装置１２１のＣＰＵ１５１は、硬貨処理部１２２からの出力に基づいて、代金が投入されたか否か、すなわち、撮影を開始するユーザがいるか否かを判定し、代金が投入されたと判定するまで待機する。
【００６９】
ＣＰＵ１５１は、ステップＳ１において、代金が投入されたと判定した場合、ステップＳ２に進み、撮影空間８３における撮影処理を実行する。すなわち、予め設定されている回数だけ撮影が繰り返し行われ、得られた画像の中から、編集する画像が選択されたとき、撮影処理が終了される。ステップＳ２において実行される撮影処理については、図１１のフローチャートを参照して後に詳述する。
【００７０】
ステップＳ３において、ＣＰＵ１５１は、ユーザからの入力に応じて、撮影した画像を編集する編集処理を実行する。ステップＳ３において実行される編集処理については、図１７のフローチャートを参照して後に詳述する。
【００７１】
ＣＰＵ１５１は、ステップＳ４において、編集処理により編集され、生成された編集画像の画像データをプリンタユニット１２７のプリンタ部１３１に転送し、印刷させる。そして、印刷処理が終了されたとき、ステップＳ１に戻り、以上の処理が繰り返し実行される。
【００７２】
なお、図１０に示される処理は、記載された順序に従って時系列的に行われるだけでなく、そのときの写真シール販売機２１の利用状況に応じて並列的にも行われる。例えば、第１のユーザが撮影空間８３において撮影を終了させ、編集空間９３に移動した直後に、第２のユーザが撮影空間８３において撮影を開始した場合、図１０のステップＳ２の撮影処理（第２のユーザの処理）とステップＳ３の編集処理（第１のユーザの処理）が並列して行われることになる。同様に、撮影処理、編集処理、および、ステップＳ４における印刷処理のそれぞれが状況に応じて並列して行われる。
【００７３】
次に、図１１のフローチャートを参照して、図１０のステップＳ２において実行される撮影処理の詳細について説明する。
【００７４】
ステップＳ１１において、ＣＰＵ１５１は、ユーザからの入力に基づいて、撮影モードを設定する。具体的には、ＣＰＵ１５１は、撮影モードを設定する画面を撮影用モニタ３４に表示し、表示される画面に対するユーザの入力に従って撮影装置３２などを制御し、撮影モードを設定する。この写真シール販売機２１においては、アップ撮影モードと全身撮影モードの２種類の撮影モードが設定されている。
【００７５】
アップ撮影モードでは、被写体（ユーザ）をアップに撮影できる撮影範囲（画角）になるように、撮影装置３２の角度、倍率などが設定されている。すなわち、アップ撮影モードの撮影範囲では、撮影される画像の背景には、背景カーテン８９の周囲部が撮影されない（背景カーテン８９のみ撮影される）範囲の設定になっている。また、全身撮影モードでは、背景カーテン８９近傍における被写体のさまざまなポーズ（例えば、両手両足を広げた大の字ポーズや逆立ちポーズなど）の全身撮影に対応する広い撮影範囲になるように、撮影装置３２の角度、倍率などが設定されている。したがって、全身撮影モードの撮影範囲では、撮影される画像の背景には、背景カーテン８９の周囲部が撮影される範囲の設定になっている。
【００７６】
図１２は、ステップＳ１１において撮影用モニタ３４に表示される画面の例を示す図である。図１２の例の場合、画面上部に、「撮影モードを選んでね！よければ○ボタンを押してね。」と撮影モードの選択を促すメッセージが表示されており、そのメッセージの下部には、撮影モード選択ボタン２０１−１および２０１−２が表示されている。撮影モード選択ボタン２０１−１には、「アップ撮影」のメッセージが表示されている。ユーザは、このメッセージにより、アップでの撮影を行う撮影モードであることを知ることができる。撮影モード選択ボタン２０１−２には、「全身撮影」のメッセージが表示されている。ユーザは、このメッセージにより、全身での撮影を行う撮影モードであることを知ることができる。
【００７７】
図１２においては、撮影モード選択ボタン２０１−１にカーソル２１１が合わせられていることを示している。ユーザは、操作パネル３５上の左ボタン１０２または右ボタン１０３を操作して、撮影モード選択ボタン２０１−１および２０１−２のいずれかにカーソル２１１を合わせ、操作パネル３５上のマルボタン１０５を操作して、カーソル２１１が合わせられているほうの撮影モード選択ボタンに決定することができる。なお、いまの場合、撮影モード選択ボタン２０１−２に決定されたとする。
【００７８】
撮影モードが決定された後、ＣＰＵ１５１は、撮影モード選択ボタン２０１−２に対応する全身撮影モードに合わせて、上述したように、撮影装置３２の角度、倍率などを設定する。
【００７９】
ステップＳ１２において、ＣＰＵ１５１は、ユーザからの入力に基づいて、背景カーテンを設定する。具体的には、ＣＰＵ１５１は、背景カーテンを設定する画面を撮影用モニタ３４に表示し、表示される画面に対するユーザの入力に従ってカーテン制御部１２５を制御し、カーテン軸９０を駆動させ、対応する背景カーテン８９を背景カーテン空間８７に引き出させる。
【００８０】
図１３は、ステップＳ１２において撮影用モニタ３４に表示される画面の例を示す図である。図１３の例の場合、画面上部に、「背景は何色にする？」と背景カーテン８９の選択を促すメッセージが表示されており、そのメッセージの下部には、背景カーテン選択ボタン２２１乃至２２４が表示されている。背景カーテン選択ボタン２２１には、「ピンク」の文字が表示されている。ユーザは、この文字により、ピンクを背景に撮影するボタンであることを知ることができる。同様に、背景カーテン選択ボタン２２２には、「黄色」の文字が表示されており、背景カーテン選択ボタン２２３には、「水色」の文字が表示されており、背景カーテン選択ボタン２２４には、「白」の文字が表示されており、ユーザは、これらの文字により、それぞれ、黄色、水色、白を背景に撮影するボタンであることを知ることができる。
【００８１】
例えば、ユーザは、画面の下方に表示されている案内に従って、操作パネル３５の左ボタン１０２または右ボタン１０３の操作によりカーソル２３１を移動させ、赤ボタン１０８を押下することで背景カーテン選択ボタンを選択する。
【００８２】
背景カーテンが決定された後、ＣＰＵ１５１は、カーテン制御部１２５を制御し、背景カーテン選択ボタンに対応する背景カーテン８９を背景カーテン空間８７に引き出させる。なお、この背景カーテン選択ボタンと背景カーテン８９は、例えば、背景カーテン選択ボタン２２１には、背景カーテン８９−１が対応し、背景カーテン選択ボタン２２２には、背景カーテン８９−２が対応し、背景カーテン選択ボタン２２３には、背景カーテン８９−３が対応し、背景カーテン選択ボタン２２４には、後パネル８１が対応するというように、予め対応付けられている。
【００８３】
したがって、ユーザにより、背景カーテン選択ボタン２３１（ピンク）が指定された場合、ＣＰＵ１５１は、カーテン制御部１２５を制御し、背景カーテン選択ボタン２３１に対応する背景カーテン８９−１のカーテン軸９０−１を駆動させ、ピンク色の背景カーテン８９−１を背景カーテン空間８７に引き出させる。カーテン制御部１２５は、他の背景カーテン８９−２が背景カーテン空間８７に引き出されていた場合は、一旦、他の背景カーテン８９−２をカーテン収納部８８に収納してから、背景カーテン８９−１を背景カーテン空間８７に引き出させる。また、ＣＰＵ１５１に指示された背景カーテン８９−１が背景カーテン空間８７に引き出されていた場合は、背景カーテン８９−１を引き出したままにするように制御する。
【００８４】
なお、背景カーテン選択ボタン２２４（白色）が選択された場合、背景カーテン８９を降ろさず、後パネル８１（白色）を利用するようにしてもよい。この場合、ＣＰＵ１５１は、すべての背景カーテン８９をカーテン収納部８８に収納させ、カーテン収納部８８から引き出すことを禁止させるように、カーテン制御部１２５を制御する。
【００８５】
ステップＳ１３において、ＣＰＵ１５１は、撮影用モニタ３４に撮影画面を表示させる。この撮影画面には、例えば、ＣＣＤ４１により取り込まれているユーザの動画像（リアルビュー）、および、撮影の開始を指示するとき操作される撮影開始ボタンなどが表示される。
【００８６】
ステップＳ１４において、ＣＰＵ１５１は、撮影画面に表示されている撮影開始ボタンが操作されたか否かに基づいて、撮影を開始することがユーザにより指示されたか否かを判定し、撮影を開始することが指示されていないと判定した場合、ステップＳ１３に戻り、撮影画面の表示を続ける。
【００８７】
一方、ＣＰＵ１５１は、ステップＳ１４において、撮影を開始することがユーザから指示されたと判定した場合、ステップＳ１５に進み、撮影装置３２を制御し、設定されている撮影モード（いまの場合、全身撮影モード）および撮影条件に従って撮影を行う。例えば、撮影までのカウントダウンが撮影用モニタ３４に表示され、撮影までの時間が「０」になったとき（カウントダウンが「０」になったとき）、照明制御部１２３を制御し、フラッシュを被写体に照射させるとともに、ＣＣＤ４１により撮影を行う（シャッターを閉じる）。撮影により得られた画像の画像データは、ＲＡＭ１５３または記憶部１５６に保存される。なお、このとき、画像データに関連付けて、ステップＳ１１で選択された撮影モードおよびステップＳ１２で選択された背景カーテン８９の情報も保存される。
【００８８】
ＣＰＵ１５１は、ステップＳ１６において、直前の撮影により得られた撮影結果の画像を撮影用モニタ３４に表示し、ユーザに確認させる。
【００８９】
図１４は、ステップＳ１６において撮影用モニタ３４に表示される画面の例を示す図であり、画面のほぼ中央に、ＣＣＤ４１により撮影された画像Ｐ１が表示される。ユーザは、撮影された画像Ｐ１を、この画面において確認し、画面の下方に表示されている案内に従って、マルボタン１０５を押す。
【００９０】
図１４に示されるように、全身撮影モードで撮影した場合、上述したように、撮影範囲が広くなるように設定されているため、画像Ｐ１の背景においては、背景カーテン８９−１の周囲部２４１も撮影されてしまい、見栄えの悪い画像になっている。
【００９１】
ステップＳ１７において、ＣＰＵ１５１は、撮影を終了するか否かを判定し、撮影を終了すると判定するまで、ステップＳ１１に戻り、撮影モード選択処理より以降の処理を繰り返し実行する。例えば、写真シール販売機２１には撮影可能回数が所定の数だけ予め設定されており、残りの撮影可能回数が「０」になったとき撮影が終了される。また、予め設定されている制限時間の残り時間がなくなったとき、強制的に撮影が終了される。
【００９２】
ＣＰＵ１５１は、ステップＳ１７において、撮影を終了すると判定した場合、ステップＳ１８に進み、撮影用モニタ３４の表示を制御し、撮影結果の画像を一覧表示し、編集処理において編集を施す画像（編集対象画像）をユーザに選択させる。
【００９３】
図１５は、ステップＳ１８において撮影用モニタ３４に表示される画面の例を示す図である。
【００９４】
図１５に示される画面例においては、画面の上方に「この中から４つだけ画像を選んでね」のメッセージが表示されており、その下に、ステップＳ１５で撮影された画像（画像Ｐ１１乃至Ｐ１８）が一覧表示されている。また、画像Ｐ１１乃至Ｐ１８の下には、「選ばれた画像がここに表示されるよ」のメッセージが表示され、そのメッセージの下に、編集対象の画像として選択された４種類までの画像が表示される。例えば、ユーザは、画面の下方に表示されている案内に従って、操作パネル３５の左ボタン１０２または右ボタン１０３の操作によりカーソル２４１を移動させ、赤ボタン１０８を押下することで編集対象の画像を選択する。
【００９５】
図１５の例においては、一覧表示されている画像Ｐ１１乃至Ｐ１８の中から、画像Ｐ１１が編集対象の画像として選択されており、ユーザは、続いて３種類の画像を選択することができる。なお、画面の右上方には、編集対象画像の選択に対して設定されている残りの制限時間が表示されており、図１５の例においては「７３秒」とされている。
【００９６】
図１１の説明に戻り、ＣＰＵ１５１は、ステップＳ１９において、編集対象画像の選択を受け付け、撮影された画像をサイズ変更を行い、編集対象画像として、記憶部１５６に保存する。なお、このとき、撮影された画像は削除される。ステップＳ２０において、ＣＰＵ１５１は、画像の選択が終了されたか否かを判定し、画像の選択が終了していないと判定した場合、ステップＳ１８に戻り、図１５に示されるような選択画面を表示し続ける。
【００９７】
一方、ＣＰＵ１５１は、ステップＳ２０において、例えば、４種類の画像が編集対象画像として選択されたため、画像の選択が終了されたと判定した場合、ステップＳ２１に進み、編集対象画像として保存した画像の明るさを調整する明るさ調整画面を撮影用モニタ３４に表示させる。
【００９８】
図１６は、撮影用モニタ３４に表示される明るさ調整画面の例を示す図である。この例においては、編集対象画像として保存された画像が画面のほぼ中央に表示され、その右に、明るさを調整する際のガンマ補正の度合いを選択するタイプ選択部２５１、および明るさの度合いを選択する明るさ選択部２５２が表示されている。
【００９９】
タイプ選択部２５１は、ガンマカーブの傾きを立てて、くっきりした画像にさせるくっきりタイプ、ガンマカーブの傾きを寝かせて、ぼんやりした画像にさせるぼんやりタイプ、および、その中間のミックスタイプの３つのタイプにより構成されている。ユーザは、画面上部に「タイプ切替は青」と表示されている案内に従って、操作パネル３５の青ボタン１０７を押下することで、カーソル２６１を移動させ、明るさを調整する際のガンマ補正のタイプを選択する。
【０１００】
明るさ選択部２５２においては、明るさの度合いの最も強い「超白飛び」、明るさの度合いの中間の「白飛び」、明るさの度合いの最も弱い「美白」までの７段階の明るさが設定できる。ユーザは、画面の下方に表示されている案内に従って、操作パネル３５の左ボタン１０２または右ボタン１０３の操作によりカーソル２６２を移動させて明るさを調整する。
【０１０１】
また、画面の右上には、残り時間表示欄２５４が「残り３０秒」と表示されており、ユーザは、撮影処理の残り時間が３０秒であることを知ることができる。
【０１０２】
ＣＰＵ１５１は、操作パネル３５からの入力（カーソル２６１または２６２の移動）に応じて、編集対象画像のガンマ補正および明るさの度合いに応じて明るさを調整し、撮影用モニタ３４を制御し、画面のほぼ中央の編集対象画像にリアルタイムに反映させる。これにより、ユーザは、編集対象画像を、好みの明るさに調整することができる。そして、ＣＰＵ１５１は、赤ボタン１０８が操作されたとき、そのレベルのガンマ補正および明るさの度合いで明るさが調整された編集対象画像の画像データ、明るさが調整されてない元の編集対象画像の画像データ、および、その調整されたときの明るさの補正値を記憶部１５６に保存し、撮影処理を終了する。その後、図７のステップＳ３以降の処理が実行される。
【０１０３】
撮影処理が終了されたとき、撮影用モニタ３４には、例えば、「機械の裏側に移動してね」などのメッセージが表示され、ユーザに対して、編集空間９３に移動することが案内される。この案内に従って、撮影処理を終えたユーザは、撮影空間８３から編集空間９３に移動する。
【０１０４】
次に、図１７のフローチャートを参照して、図１０のステップＳ３において実行される編集処理の詳細について説明する。
【０１０５】
ステップＳ５１において、ＣＰＵ１５１は、編集画面の表示制御処理を実行する。このステップＳ５１の編集画面の表示制御処理を図１８のフローチャートを参照して説明する。
【０１０６】
図１４を参照して上述したように、全身撮影モードで撮影された場合、撮影範囲（画角）が広くなるように設定されているため、画像Ｐ１の背景においては、背景カーテン８９−１の周囲部２４１までもが撮影されている。それに対して、アップ撮影モードで撮影された場合、画像の背景全体に、背景カーテンが撮影されているため、画像の背景は、全身モードで撮影された場合に較べて比較的きれいな、見栄えのよい背景となっている。また、上述したように、画像データに関連付けて、ステップＳ１１で選択された撮影モードおよびステップＳ１２で選択された背景カーテン８９の情報が記憶部１５６に保存されている。それに基づいて、ステップＳ８１において、ＣＰＵ１５１は、編集対象画像が全身撮影モードで撮影されたか否かを判断する。すなわち、編集対象画像の背景全体が、背景カーテン８９の画像である（背景カーテン８９以外の画像が含まれない）か否かが判断される。
【０１０７】
ステップＳ８１において、編集対象画像が全身撮影モードで撮影されたと判断された場合、ステップＳ８２において、ＣＰＵ１５１は、元の編集対象画像の画像データを読み出し、それにクロマキー処理を実行し、背景の編集範囲を抽出する。上述したように、この写真シール販売機２１においては、撮影モードによって、撮影範囲（画角）（すなわち、画像のどの位置まで、背景カーテン８９−１が撮影されるか）が予め設定されている。したがって、全身撮影モードで撮影された場合、背景カーテン８９−１の周辺部２４１の範囲のマスク画像を持つことにより、中央部（周辺部２４１以外）に周辺部２４１と同色の部分があっても、クロマキー処理されない。
【０１０８】
以上より、ステップＳ８２のクロマキー処理においては、編集対象画像の画像データから、背景カーテン８９−１の周囲部２４１（背景カーテン８９−１は含まれない）で、かつ、被写体ではない部分が、背景の編集範囲として抽出される。なお、このクロマキー処理において、元の編集対象画像の画像データを用いたのは、明るさの調整された編集対象画像の画像データでは、予め設定されているクロマキー処理のしきい値が、変わってしまうため、正確な背景の編集範囲が抽出されないからである。
【０１０９】
次に、ステップＳ８３において、ＣＰＵ１５１は、図１１のステップＳ１２で設定された背景カーテン８９−１の色（いまの場合、ピンク色）のうち、図１１のステップＳ２１で調整された明るさの補正値に基づいて、調整された明るさに対応する色（例えば、Ｒ，Ｇ，Ｂの情報）を記憶部１５６から取得する。なお、いまの場合、記憶部１５６には、背景カーテン８９に対応する色が、明るさに応じて複数記憶されているが、記憶部１５６から、背景カーテン８９に対応する色を読み出し、その色を、明るさに対応した色に調整するようにしてもよい。
【０１１０】
ステップＳ８４において、ＣＰＵ１５１は、（明るさの調整された）編集対象画像を記憶部１５６から読み出し、編集対象画像における、ステップＳ８２において抽出された背景の編集範囲を、ステップＳ８３において取得された色で変換し（塗り）、背景の編集範囲の画像として記憶部１５６に保存する。
【０１１１】
これにより、抽出された背景の編集範囲は、背景カーテン８９−１に対応する色（以降、適宜、背景カーテン色と称する）に変換されるため、背景カーテン８９−１とその周囲部２４１の境界が目立たなくなる。
【０１１２】
なお、以上においては、この写真シール販売機２１に設置された背景カーテン８９を、複数の色の背景カーテン８９により構成したが、花柄など異なる柄の背景カーテン８９を設置するようにしてもよい。また、その場合においては、背景の編集範囲を変換するとき、柄の下地色に変換するようにしてもよいし、柄を記憶部１５６に記憶しておき、背景の編集範囲を、その柄に変換するようにしてもよい。
【０１１３】
一方、ステップＳ８１において、編集対象画像が全身撮影モードで撮影されていないと判断された場合、すなわち、編集対象画像がアップ撮影モードで撮影されたと判断された場合、画像の背景全体に背景カーテン８９が撮影されている（背景カーテン８９−１の周囲部２４１は撮影されない）ため、ステップＳ８２乃至Ｓ８４の処理は必要とされず、スキップされる。
【０１１４】
ステップＳ８５において、ＣＰＵ１５１は、編集対象画像すべてに対して処理が終了したか否かを判断し、また処理が終了していない編集対象画像があると判断した場合、ステップＳ８１に戻り、それ以降の処理を繰り返す。ステップＳ８５において、編集対象画像すべてに対して処理が終了したと判断された場合、ステップＳ８６において、ＣＰＵ１５１は、変換された背景の編集範囲の画像を読み出し、読み出した画像を編集対象画像に重畳して、編集用モニタ６１−１および６１−２に編集画面を表示させる。なお、アップ撮影モードの場合は、ステップＳ８４において背景の編集範囲の画像が変換、保存されていないので、編集対象画像のみが表示される。
【０１１５】
図１９は、編集画面の表示例を示す図である。
【０１１６】
上述したように、編集用モニタ６１−１および６１−２は、写真シール販売機２１の面２１Ｃに水平方向に並置して設けられており、図１９に示されるような編集画面がそれぞれのモニタに表示される。
【０１１７】
編集用モニタ６１−１に表示される編集画面には、編集対象の画像が拡大して表示される編集対象画像表示部３０１が表示され、ユーザは、編集対象画像表示部３０１に表示させる画像を、画像選択部３０２に表示されている画像の中から入力ペン６３−１によりカーソル３０２Ｃを移動させて選択する。画像選択部３０２には、撮影処理において、編集対象の画像として選択された４種類の画像が一覧表示されている。
【０１１８】
この編集対象画像表示部３０１および画像選択部３０２に表示されている画像のうち、全身撮影モードで撮影された画像に関しては、すべて、図１８のステップＳ８４において、背景の編集範囲（背景カーテン８９−１の周囲部２４１）が背景カーテン色に塗られて（変換されて）表示されている。したがって、編集対象画像表示部３０１に示されるように、背景が背景カーテン色の画像が表示され、背景カーテン８９−１とその周囲部２４１の境界が目立たなくなっている（なお、図１９においては、説明の便宜上、背景カーテン８９−１とその周囲部２４１の境界には、破線が示されている）。
【０１１９】
これにより、ユーザは、背景カーテン８９−１の周囲部２４１を、手間をかけて背景カーテン８９−１と同色に塗るような編集を行う必要がなくなる。
【０１２０】
編集対象画像表示部３０１の近傍には、編集ツールを選択するとき操作される各種のボタンが表示される。例えば、編集対象画像に線や文字などを入力するための「ペンツール」を選択するとき操作されるペンメニュー３０３、編集対象画像に所定のスタンプ画像を配置する「スタンプツール」を選択するとき操作されるスタンプメニュー３０４、「ペンツール」により入力される文字などの色を選択するとき操作される色選択メニュー３０５が表示される。
【０１２１】
また、１度入力した落書き等を消すための「消しゴムツール」を選択するとき操作される消しゴムメニュー３０６、被写体の背景部分に好みのテクスチャを配置する「背景ブラシツール」と、その範囲を選択するとき操作される範囲調整メニュー３０７、および、「ペンツール」の太さを選択するとき操作される太さメニュー３０８が表示される。
【０１２２】
また、編集画面には、編集対象画像表示部３０１に表示されている画像の表示方向（縦方向、横方向）を切り換えるとき操作される切り換えボタン３０９、直前に入力した編集を取り消すとき操作されるやり直しボタン３１０、入力した編集を全て取り消すとき操作されるやり直しボタン３１１が表示される。さらに、やり直しボタン３１１の上には、やり直しボタン３１１により背景の編集範囲が変換されていない元の画像表示に戻され、もう一度、背景が背景カーテン色の画像に表示したいとき操作される背景統一ボタン３１２が表示される。また、編集用モニタ６１−１の右下には、編集処理を終了し、印刷を開始するとき操作される終了ボタン３１３が表示される。
【０１２３】
編集対象画像表示部３０１において、背景が背景カーテン色の画像表示されている場合、このやり直しボタン３１１がタッチパネル１２４−１，１２４−２を介して入力されると、ＣＰＵ１５１は、変換された背景の編集範囲の画像を重畳せずに編集対象画像を読み出す。さらに、背景が背景カーテン色の画像表示に戻す場合、背景統一ボタン３１２がタッチパネル１２４−１，１２４−２を介して入力されると、ＣＰＵ１５１は、変換された背景の編集範囲の画像を編集対象画像に重畳し、編集画面を表示させる。
【０１２４】
また、編集画面の右上には、編集処理に対して設定されている制限時間が表示されており、図１９に示される例においては「５０秒」とされている。
【０１２５】
なお、上記説明においては、編集画面を表示する際に、自動的に、変換された背景の編集範囲を重畳して、背景が背景カーテン色の画像を表示させるようにしたが、ユーザにより背景統一ボタン３１２がタッチパネル１２４−１，１２４−２を介して入力された場合に、初めて表示させるようにしてもよい。
【０１２６】
図１７の説明に戻り、編集画面において選択されたツールに基づく編集がタッチパネル１２４−１，１２４−２を介して入力されたとき、ＣＰＵ１５１は、ステップＳ５２において、ユーザからの入力に応じて、編集対象として選択されている画像を編集する。例えば、所定のペンツールがペンメニュー３０３から選択され、文字が編集対象画像に入力されたとき、ＣＰＵ１５１は、入力された文字に対応する画像を編集対象画像に重畳して表示させる。
【０１２７】
ＣＰＵ１５１は、ステップＳ５３において、編集処理を終了するか否かを判定し、例えば、終了ボタン３１３が操作されていないため、編集処理を終了しないと判定した場合、ステップＳ５２に戻り、以上の処理を繰り返し実行する。
【０１２８】
一方、終了ボタン３１３が操作された場合、または、予め設定されている制限時間が終了した場合、ステップＳ５４において、ＣＰＵ１５１は、シール紙１４１に印刷される画像の配置と大きさを選択する分割数（印刷パターン）の選択画面を編集用モニタ６１−１および６１−２に表示させ、ユーザに好みの分割数を選択させる。すなわち、写真シール販売機２１には、複数の分割数が予め用意されており、ユーザが好みの印刷パターンを選択できるようになされている。ユーザにより分割数が選択されたとき、編集処理が終了される。
【０１２９】
編集処理が終了されたとき、ＣＰＵ１５１は、編集用モニタ６１−１および６１−２に、印刷待ち空間９５に移動することを案内するメッセージを表示させる。ユーザは、表示されるメッセージに従って印刷待ち空間９５に移動し、シール取り出し口５１からシール紙が排出されてくるのを待機する。
【０１３０】
その後、処理は図７のステップＳ４に進み、編集が施された合成画像がシール紙１４１に印刷される。すなわち、ＣＰＵ１５１により、編集が施された合成画像のデータがプリンタ部１３１に出力され、そのデータに基づいて、シール紙１４１に画像が印刷される。合成画像が印刷されたシール紙１４１は、シール取り出し口５１から排出される。
【０１３１】
図２０は、写真シール販売機２１により印刷され、シール取り出し口５１に排出されたシール紙の例を示す図である。
【０１３２】
図２０に示されるように、シール紙３３１には、ユーザにより設定された分割数（４分割）に従って、文字や図形などの編集（落書き）が施された画像が印刷される。
【０１３３】
なお、図２０のシール紙の編集画像において、被写体の画像（人物の画像）の周辺に、あるいは、被写体の画像に一部重畳して示されている「コノヤロ」、「スゴイ」の文字、およびハート形や星形のスタンプ画像はユーザにより入力された編集画像である。このように、ユーザは、好みの文字や画像を、撮影された画像に対して施すことができる。また、被写体の背景には、ユーザ指定の背景カーテン８９または背景カーテン８９に対応する色が塗られている、見栄えのよい背景が示されている。
【０１３４】
このようなシール紙が、写真シール販売機２１を利用したユーザに対して提供される。
【０１３５】
以上のようにして、ユーザは、手間をかけずにきれいな背景の画像のシール紙を取得することができる。
【０１３６】
以上においては、予め背景カーテンに色を設定しておき、ユーザの指示による背景カーテンを自動で引き出すようにしたが、背景カーテンをユーザに手動に引き出させるようにしてもよい。なお、その場合には、どの背景カーテンを引き出したかを検出するようにしてもよいし、または、画像に撮影された背景カーテンから色を検出するようにしてもよい。
【０１３７】
また、上記説明においては、編集用モニタ６１−１および６１−２に、変換された背景の編集範囲を重畳して表示し、背景が背景カーテン色の画像を表示するようにしたが、図１１のステップＳ１６の撮影結果の画像を撮影用モニタ３４に表示させる場合に、同様な処理により、背景が背景カーテン色の画像を表示するようにしてもよい。
【０１３８】
【発明の効果】
以上のように、本発明によれば、簡単に、背景の見栄えのよい画像のシールを得ることができる。また、本発明によれば、手間をかけずに、簡単な操作で好適な画像のシールを得ることができる。
【図面の簡単な説明】
【図１】従来の写真シール販売機の配置を示す図である。
【図２】撮影用モニタの表示例を示す図である。
【図３】本発明を適用した写真シール販売機の外観の例を示す斜視図である。
【図４】本発明を適用した写真シール販売機の他の外観の例を示す斜視図である。
【図５】図３の写真シール販売機の配置の例を示す図である。
【図６】図３の写真シール販売機の配置の例を上方から示す図である。
【図７】図３の操作パネルの構成例を示す図である。
【図８】図３の写真シール販売機の構成例を示すブロック図である。
【図９】図８の制御装置の構成例を示すブロック図である。
【図１０】写真シール販売機の顧客応対処理を説明するフローチャートである。
【図１１】図１０のステップＳ２において実行される撮影処理の詳細を説明するフローチャートである。
【図１２】図１１のステップＳ１１において表示される撮影用モニタの表示例を示す図である。
【図１３】図１１のステップＳ１２において表示される撮影用モニタの表示例を示す図である。
【図１４】図１１のステップＳ１６において表示される撮影用モニタの表示例を示す図である。
【図１５】図１１のステップＳ１９において表示される撮影用モニタの表示例を示す図である。
【図１６】図１１のステップＳ２１において表示される撮影用モニタの表示例を示す図である。
【図１７】図７のステップＳ３において実行される編集処理の詳細を説明するフローチャートである。
【図１８】図１７のステップＳ５１において実行される編集画面表示制御処理の詳細を説明するフローチャートである。
【図１９】図１８のステップＳ８６において表示される編集用モニタの表示例を示す図である。
【図２０】シール紙の例を示す図である。
【符号の説明】
２１　写真シール販売機
３２　撮影装置
３４　撮影用モニタ
３５　操作パネル
６１−１，６１−２　編集用モニタ
８２　背景パネル
８９−１乃至８９−３　背景カーテン
１２１　制御装置
１２５　カーテン制御部
１５１　ＣＰＵ
【図１】
2004112302.tif 000003
【図２】
2004112302.tif 000004
【図３】
2004112302.tif 000005
【図４】
2004112302.tif 000006
【図５】
2004112302.tif 000007
【図６】
2004112302.tif 000008
【図７】
2004112302.tif 000009
【図８】
2004112302.tif 000010
【図９】
2004112302.tif 000011
【図１０】
2004112302.tif 000012
【図１１】
2004112302.tif 000013
【図１２】
2004112302.tif 000014
【図１３】
2004112302.tif 000015
【図１４】
2004112302.tif 000016
【図１５】
2004112302.tif 000017
【図１６】
2004112302.tif 000018
【図１７】
2004112302.tif 000019
【図１８】
2004112302.tif 000020
【図１９】
2004112302.tif 000021
【図２０】
2004112302.tif 000022